(57)【要約】【課題】電話機の電話帳に登録されていない発信者からの着信でも発信者情報を確認可能な電話機を提供する。【解決手段】音声通話手段１１は音声呼の着信通知を受けると、発信者番号取得手段１２によって着信情報から発信者の電話番号を取得する。発信者番号取得手段１２で取得された電話番号は発信者検索手段１３に送られ、発信者検索手段１３は電話番号を基に電話帳データベース１４から発信者情報の検索を行う。発信者検索手段１３はその検索で発信者情報が見つからない場合、電話番号をデータ通信手段１５に送り、データ通信手段１５からインタネットに接続されている発信者情報検索装置に対して発信者の電話番号を含む発信者情報検索要求を送信する。表示手段１６は電話番号と、発信者検索手段１３またはデータ通信手段１５からの発信者情報とを表示する。【選択図】      図１
2004153779.tif 000002
【特許請求の範囲】
【請求項１】
インタネットとの通信を行うデータ通信手段を含む通信端末装置であって、着信通知の着信情報から発信者を特定する特定情報を取得する取得手段と、前記取得手段で取得した前記特定情報を基に前記発信者に関する発信者情報を検索する検索手段と、前記発信者情報が見つからない時に前記データ通信手段から前記インタネットへ前記発信者情報の取得要求を送出する手段と、前記検索手段で検索された前記発信者情報及び前記取得要求の送出によって前記インタネットから得た前記発信者情報を表示する手段とを有することを特徴とする通信端末装置。
【請求項２】
前記特定情報と前記発信者情報とを蓄積するデータベースを含み、前記検索手段は前記データベースから前記特定情報を基に前記発信者情報を検索することを特徴とする請求項１記載の通信端末装置。
【請求項３】
自端末への着信履歴を格納する履歴データベースを含み、前記インタネットから得た前記発信者情報を前記履歴データベースに格納することを特徴とする請求項１または請求項２記載の通信端末装置。
【請求項４】
前記特定情報は、前記発信者の電子メールアドレス、電話番号、識別情報のうちの少なくとも一つを含むことを特徴とする請求項１から請求項３のいずれか記載の通信端末装置。
【請求項５】
少なくとも前記インタネットとの通信を無線にて行う携帯通信端末及び前記インタネットとの通信を無線にて行う電話機のいずれかであることを特徴とする請求項１から請求項４のいずれか記載の通信端末装置。
【請求項６】
インタネットとの通信を行うデータ通信手段を含む電話機であって、着信通知の着信情報から発信者の電話番号を取得する取得手段と、前記取得手段で取得した前記発信者の電話番号を基に発信者情報を検索する検索手段と、前記発信者情報が見つからない時に前記データ通信手段から前記インタネットへ前記発信者情報の取得要求を送出する手段と、前記検索手段で検索された前記発信者情報及び前記取得要求の送出によって前記インタネットから得た前記発信者情報を表示する手段とを有することを特徴とする電話機。
【請求項７】
前記発信者の電話番号と前記発信者情報とを蓄積する電話帳データベースを含み、前記検索手段は前記電話帳データベースから前記発信者の電話番号を基に前記発信者情報を検索することを特徴とする請求項１記載の電話機。
【請求項８】
自端末への着信履歴を格納する着信履歴データベースを含み、前記インタネットから得た前記発信者情報を前記着信履歴データベースに格納することを特徴とする請求項１または請求項２記載の電話機。
【請求項９】
インタネットに接続されかつ発信者を特定する特定情報を基に前記発信者に関する発信者情報を検索する発信者情報検索装置と、
前記インタネットとの通信を行うデータ通信手段と、着信通知の着信情報から前記特定情報を取得する取得手段と、前記取得手段で取得した前記特定情報を基に前記発信者情報を検索する検索手段と、前記発信者情報が見つからない時に前記データ通信手段から前記インタネットを介して前記発信者情報検索装置へ前記発信者情報の取得要求を送出する手段と、前記検索手段で検索された前記発信者情報及び前記取得要求の送出によって前記発信者情報検索装置から得た前記発信者情報を表示する手段とを含む通信端末装置とを有することを特徴とする発信者情報通知システム。
【請求項１０】
前記特定情報と前記発信者情報とを蓄積するデータベースを前記通信端末装置に含み、前記検索手段は前記データベースから前記特定情報を基に前記発信者情報を検索することを特徴とする請求項９記載の発信者情報通知システム。
【請求項１１】
自端末への着信履歴を格納する履歴データベースを前記通信端末装置に含み、前記発信者情報検索装置から得た前記発信者情報を前記履歴データベースに格納することを特徴とする請求項９または請求項１０記載の発信者情報通知システム。
【請求項１２】
前記特定情報は、前記発信者の電子メールアドレス、電話番号、識別情報のうちの少なくとも一つを含むことを特徴とする請求項９から請求項１１のいずれか記載の発信者情報通知システム。
【請求項１３】
前記通信端末装置は、少なくとも前記インタネットとの通信を無線にて行う携帯通信端末及び前記インタネットとの通信を無線にて行う電話機のいずれかであることを特徴とする請求項９から請求項１２のいずれか記載の発信者情報通知システム。
【請求項１４】
インタネットに接続されかつ発信者の電話番号を基に発信者情報を検索する発信者情報検索装置と、
前記インタネットとの通信を行うデータ通信手段と、着信通知の着信情報から前記発信者の電話番号を取得する取得手段と、前記取得手段で取得した前記発信者の電話番号を基に前記発信者情報を検索する検索手段と、前記発信者情報が見つからない時に前記データ通信手段から前記インタネットを介して前記発信者情報検索装置へ前記発信者情報の取得要求を送出する手段と、前記検索手段で検索された前記発信者情報及び前記取得要求の送出によって前記発信者情報検索装置から得た前記発信者情報を表示する手段とを含む電話機とを有することを特徴とする発信者情報通知システム。
【請求項１５】
前記発信者の電話番号と前記発信者情報とを蓄積する電話帳データベースを前記電話機に含み、前記検索手段は前記電話帳データベースから前記発信者の電話番号を基に前記発信者情報を検索することを特徴とする請求項１４記載の発信者情報通知システム。
【請求項１６】
自端末への着信履歴を格納する着信履歴データベースを前記電話機に含み、前記発信者情報検索装置から得た前記発信者情報を前記着信履歴データベースに格納することを特徴とする請求項１４または請求項１５記載の発信者情報通知システム。
【請求項１７】
インタネットとの通信を行うデータ通信手段を含む通信端末装置の発信者情報通知方法であって、着信通知の着信情報から発信者を特定する特定情報を取得するステップと、その取得した前記特定情報を基に前記発信者に関する発信者情報を検索するステップと、前記発信者情報が見つからない時に前記データ通信手段から前記インタネットへ前記発信者情報の取得要求を送出するステップと、検索された前記発信者情報及び前記取得要求の送出によって前記インタネットから得た前記発信者情報を表示するステップとを有することを特徴とする発信者情報通知方法。
【請求項１８】
前記発信者情報を検索するステップは、前記特定情報と前記発信者情報とを蓄積するデータベースから前記特定情報を基に前記発信者情報を検索することを特徴とする請求項１７記載の発信者情報通知方法。
【請求項１９】
前記インタネットから得た前記発信者情報を前記通信端末装置への着信履歴を格納する履歴データベースに格納することを特徴とする請求項１７または請求項１８記載の発信者情報通知方法。
【請求項２０】
前記特定情報は、前記発信者の電子メールアドレス、電話番号、識別情報のうちの少なくとも一つを含むことを特徴とする請求項１７から請求項１９のいずれか記載の発信者情報通知方法。
【請求項２１】
前記通信端末装置は、少なくとも前記インタネットとの通信を無線にて行う携帯通信端末及び前記インタネットとの通信を無線にて行う電話機のいずれかであることを特徴とする請求項１７から請求項２０のいずれか記載の発信者情報通知方法。
【請求項２２】
インタネットとの通信を行うデータ通信手段を含む電話機の発信者情報通知方法であって、着信通知の着信情報から発信者の電話番号を取得するステップと、その取得した前記発信者の電話番号を基に発信者情報を検索するステップと、前記発信者情報が見つからない時に前記データ通信手段から前記インタネットへ前記発信者情報の取得要求を送出するステップと、検索された前記発信者情報及び前記取得要求の送出によって前記インタネットから得た前記発信者情報を表示するステップとを有することを特徴とする発信者情報通知方法。
【請求項２３】
前記発信者情報を検索するステップは、前記発信者の電話番号と前記発信者情報とを蓄積する電話帳データベースから前記発信者の電話番号を基に前記発信者情報を検索することを特徴とする請求項２２記載の発信者情報通知方法。
【請求項２４】
前記インタネットから得た前記発信者情報を前記電話機への着信履歴を格納する着信履歴データベースに格納することを特徴とする請求項２２または請求項２３記載の発信者情報通知方法。
【請求項２５】
インタネットとの通信を行うデータ通信手段を含む通信端末装置の発信者情報通知方法のプログラムであって、前記通信端末のコンピュータに、着信通知の着信情報から発信者を特定する特定情報を取得する処理と、その取得した前記特定情報を基に前記発信者に関する発信者情報を検索する処理と、前記発信者情報が見つからない時に前記データ通信手段から前記インタネットへ前記発信者情報の取得要求を送出する処理と、検索された前記発信者情報及び前記取得要求の送出によって前記インタネットから得た前記発信者情報を表示する処理とを実行させるためのプログラム。
【請求項２６】
インタネットとの通信を行うデータ通信手段を含む電話機の発信者情報通知方法のプログラムであって、前記電話機のコンピュータに、着信通知の着信情報から発信者の電話番号を取得する処理と、その取得した前記発信者の電話番号を基に発信者情報を検索する処理と、前記発信者情報が見つからない時に前記データ通信手段から前記インタネットへ前記発信者情報の取得要求を送出する処理と、検索された前記発信者情報及び前記取得要求の送出によって前記インタネットから得た前記発信者情報を表示する処理とを実行させるためのプログラム。
【発明の詳細な説明】
【０００１】
【発明の属する技術分野】
本発明は通信端末装置、電話機、発信者情報通知システム及びそれに用いる発信者情報通知方法並びそのプログラムに関し、特に発信者の電話番号を基に発信者名等の発信者情報を検索して通知する方法に関する。
【０００２】
【従来の技術】
従来、発信者通知システムにおいては、図７に示すように、発信側電話端末装置２１と、着信側電話端末装置２２と、発信側電話交換機２３と、着信側電話交換機２４と、データベース２５と、発信者名検索装置２６とから構成されている。データベース２５は電話交換網内で発信者の電話番号に対応した発信者名のデータを格納しており、発信者名検索装置２６はデータベース２５から発信者名を検索する。
【０００３】
着信側電話交換機２４は発信者名検索装置２６に発信者の電話番号を送り、発信者名検索装置６からの発信者の電話番号及びこれに対応した発信者名を受ける。着信側電話端末装置２２の表示器２２ａは着信側電話交換機２４からの発信者番号及びこれに対応した発信者名を受けて表示する（例えば、特許文献１参照）。
【０００４】
【特許文献】
特開平１１−１２７２３６号公報
【０００５】
【発明が解決しようとする課題】
上述した従来の発信者通知システムでは、発信者情報の検索の仕組みをすべて電気通信事業者の網内で行うため、このシステムを実現するために、電気通信事業者の網内の仕組みを大きく変更する必要がある。
【０００６】
また、従来の発信者通知システムでは、電気通信事業者の網内に閉じたシステムであるため、発信者情報を検索する発信者名検索装置を電話機の所有者から選択することができない。
【０００７】
そこで、本発明の目的は上記の問題点を解消し、電話機の電話帳に登録されていない発信者からの着信でも発信者情報を確認することができる通信端末装置、電話機、発信者情報通知システム及びそれに用いる発信者情報通知方法並びそのプログラムを提供することにある。
【０００８】
【課題を解決するための手段】
本発明による通信端末装置は、インタネットとの通信を行うデータ通信手段を含む通信端末装置であって、着信通知の着信情報から発信者を特定する特定情報を取得する取得手段と、前記取得手段で取得した前記特定情報を基に前記発信者に関する発信者情報を検索する検索手段と、前記発信者情報が見つからない時に前記データ通信手段から前記インタネットへ前記発信者情報の取得要求を送出する手段と、前記検索手段で検索された前記発信者情報及び前記取得要求の送出によって前記インタネットから得た前記発信者情報を表示する手段とを備えている。
【０００９】
本発明による電話機は、インタネットとの通信を行うデータ通信手段を含む電話機であって、着信通知の着信情報から発信者の電話番号を取得する取得手段と、前記取得手段で取得した前記発信者の電話番号を基に発信者情報を検索する検索手段と、前記発信者情報が見つからない時に前記データ通信手段から前記インタネットへ前記発信者情報の取得要求を送出する手段と、前記検索手段で検索された前記発信者情報及び前記取得要求の送出によって前記インタネットから得た前記発信者情報を表示する手段とを備えている。
【００１０】
本発明による発信者情報通知システムは、インタネットに接続されかつ発信者を特定する特定情報を基に前記発信者に関する発信者情報を検索する発信者情報検索装置と、
前記インタネットとの通信を行うデータ通信手段と、着信通知の着信情報から前記特定情報を取得する取得手段と、前記取得手段で取得した前記特定情報を基に前記発信者情報を検索する検索手段と、前記発信者情報が見つからない時に前記データ通信手段から前記インタネットを介して前記発信者情報検索装置へ前記発信者情報の取得要求を送出する手段と、前記検索手段で検索された前記発信者情報及び前記取得要求の送出によって前記発信者情報検索装置から得た前記発信者情報を表示する手段とを含む通信端末装置とを備えている。
【００１１】
本発明による他の発信者情報通知システムは、インタネットに接続されかつ発信者の電話番号を基に発信者情報を検索する発信者情報検索装置と、
前記インタネットとの通信を行うデータ通信手段と、着信通知の着信情報から発信者の電話番号を取得する取得手段と、前記取得手段で取得した前記発信者の電話番号を基に発信者情報を検索する検索手段と、前記発信者情報が見つからない時に前記データ通信手段から前記インタネットを介して前記発信者情報検索装置へ前記発信者情報の取得要求を送出する手段と、前記検索手段で検索された前記発信者情報及び前記取得要求の送出によって前記発信者情報検索装置から得た前記発信者情報を表示する手段とを含む電話機とを備えている。
【００１２】
本発明による発信者情報通知方法は、インタネットとの通信を行うデータ通信手段を含む通信端末装置の発信者情報通知方法であって、着信通知の着信情報から発信者を特定する特定情報を取得するステップと、その取得した前記特定情報を基に前記発信者に関する発信者情報を検索するステップと、前記発信者情報が見つからない時に前記データ通信手段から前記インタネットへ前記発信者情報の取得要求を送出するステップと、検索された前記発信者情報及び前記取得要求の送出によって前記インタネットから得た前記発信者情報を表示するステップとを備えている。
【００１３】
本発明による他の発信者情報通知方法は、インタネットとの通信を行うデータ通信手段を含む電話機の発信者情報通知方法であって、着信通知の着信情報から発信者の電話番号を取得するステップと、その取得した前記発信者の電話番号を基に発信者情報を検索するステップと、前記発信者情報が見つからない時に前記データ通信手段から前記インタネットへ前記発信者情報の取得要求を送出するステップと、検索された前記発信者情報及び前記取得要求の送出によって前記インタネットから得た前記発信者情報を表示するステップとを備えている。
【００１４】
本発明による発信者情報通知方法のプログラムは、インタネットとの通信を行うデータ通信手段を含む通信端末装置の発信者情報通知方法のプログラムであって、前記通信端末のコンピュータに、着信通知の着信情報から発信者を特定する特定情報を取得する処理と、その取得した前記特定情報を基に前記発信者に関する発信者情報を検索する処理と、前記発信者情報が見つからない時に前記データ通信手段から前記インタネットへ前記発信者情報の取得要求を送出する処理と、検索された前記発信者情報及び前記取得要求の送出によって前記インタネットから得た前記発信者情報を表示する処理とを実行させている。
【００１５】
本発明による他の発信者情報通知方法のプログラムは、インタネットとの通信を行うデータ通信手段を含む電話機の発信者情報通知方法のプログラムであって、前記電話機のコンピュータに、着信通知の着信情報から発信者の電話番号を取得する処理と、その取得した前記発信者の電話番号を基に発信者情報を検索する処理と、前記発信者情報が見つからない時に前記データ通信手段から前記インタネットへ前記発信者情報の取得要求を送出する処理と、検索された前記発信者情報及び前記取得要求の送出によって前記インタネットから得た前記発信者情報を表示する処理とを実行させている。
【００１６】
すなわち、本発明の発信者情報通知システムは、電話機や携帯通信端末等の通信端末装置の着信時に、発信者の氏名や住所等の発信者に関する発信者情報を着信者に伝達可能とすることで、通信端末装置の電話帳に登録されていない発信者からの着信でも発信者情報を確認可能とする。
【００１７】
より具体的に説明すると、本発明の発信者情報通知システムでは、通信端末装置が音声呼の着信通知を受けると、インタネットに接続されている発信者情報検索装置に発信者を特定する特定情報（例えば、電話番号、メールアドレス、発信者の識別情報）を含む発信者情報検索要求を送信する。
【００１８】
発信者情報検索装置は通信端末装置からの発信者情報検索要求を受信すると、発信者情報データベースの検索を行い、発信者情報データベースからの発信者情報検索結果を通信端末装置に返信する。通信端末装置では発信者情報検索結果を表示することによって、着信者が発信者情報を得ることが可能となる。
【００１９】
さらに、具体的に説明すると、本発明の発信者情報通知システムでは、例えば、電話機が音声呼の着信通知を受けると、インタネットに接続されている発信者情報検索装置に発信者の電話番号を含む発信者情報検索要求を送信する。
【００２０】
発信者情報検索装置は電話機からの発信者情報検索要求を受信すると、発信者情報データベースの検索を行い、発信者情報データベースからの発信者情報検索結果を電話機に返信する。電話機では発信者情報検索結果を表示することによって、着信者が発信者情報を得ることが可能となる。
【００２１】
上述したように、本発明では、電気通信事業者の網内の仕組みを変更することなく、すでに実現されているインフラを使用して実現することが可能となる。また、本発明では、通信端末装置のデータ通信手段からインタネットに接続された発信者情報検索装置に発信者情報検索要求を送信するため、通信端末装置の所有者が発信者情報検索装置の情報を通信端末装置に登録または変更することによって、任意の発信者情報検索装置に対して発信者情報検索要求を送信することが可能となる。これは、企業で使用する通信端末装置からの発信者情報検索装置として、顧客の名称、住所、取引規模、取引内容等の顧客情報を含む発信者情報データベースを作る等の目的に合った使用が可能になる。
【００２２】
【発明の実施の形態】
次に、本発明の実施例について図面を参照して説明する。図１は本発明の一実施例による電話機の構成を示すブロック図である。図１において、電話機１は音声通話手段１１と、発信者番号取得手段１２と、発信者検索手段１３と、電話帳データベース１４と、データ通信手段１５と、表示手段１６と、着信履歴データベース１７と、記録媒体１８とから構成されている。
【００２３】
音声通話手段１１は音声通話の制御を行い、発信者番号取得手段１２は着信通知の着信情報から発信者の電話番号を取得する。電話帳データベース１４には電話番号と発信者情報（電話番号、発信者名等）とが蓄積されており、発信者検索手段１３は電話番号から電話帳データベース１４の発信者情報を検索する。
【００２４】
データ通信手段１５は図示せぬインタネットとの通信を行い、表示手段１６は電話番号と、発信者検索手段１３で検索された発信者情報またはデータ通信手段１５がインタネットを介して受信した発信者情報とを表示する。着信履歴データベース１７は電話機１における着信履歴を記録する。
【００２５】
記録媒体１８には電話機１のコンピュータ（図示せず）で実行可能なプログラムが格納されており、コンピュータが記録媒体１８からプログラムを読出して実行することで、上記の各手段の処理が実現される。
【００２６】
図２は本発明の一実施例による発信者情報通知システムの構成を示すブロック図である。図２において、本発明の一実施例による発信者情報通知システムにおいて、電話機１はインタネット１００との通信が可能であり、インタネット１００には発信者情報検索装置２が接続されており、発信者情報検索装置２には発信者情報データベース３が接続されている。
【００２７】
図３は本発明の一実施例による電話機１の着信処理の動作を示すフローチャートである。これら図１〜図３を参照して本発明の一実施例による電話機１の着信処理の動作について説明する。尚、図３に示す処理は電話機１のコンピュータが記録媒体１８のプログラムを読出して実行することで実現される。
【００２８】
電話機１の音声通話手段１１は音声呼の着信通知を受けると（図３ステップＳ１）、着信通知の着信情報を発信者番号取得手段１２に送り、発信者番号取得手段１２によって着信情報から発信者の電話番号を取得する（図３ステップＳ２）。
【００２９】
発信者番号取得手段１２で取得された電話番号は発信者検索手段１３に送られ、発信者検索手段１３は電話番号を基に電話帳データベース１４から発信者情報の検索を行う（図３ステップＳ３）。
【００３０】
ここで、発信者検索手段１３は発信者情報が見つかると（図３ステップＳ４）、発信者情報を表示手段１６に送り、表示手段１６は電話番号と発信者情報とを表示する（図３ステップＳ５）。
【００３１】
一方、発信者検索手段１３は電話帳データベース１４の検索で、発信者情報が見つからなかった場合、電話番号をデータ通信手段１５に送り、データ通信手段１５からインタネット１００に接続されている発信者情報検索装置２に対して発信者の電話番号を含む発信者情報検索要求を送信する（図３ステップＳ６）。
【００３２】
発信者情報検索装置２は電話機１からの発信者情報検索要求を受取ると、発信者情報検索要求の電話番号を基に発信者情報データベース３の検索を行い、発信者名等の検索結果を含む発信者情報検索結果を電話機１に返信する。
【００３３】
電話機１のデータ通信手段１５は発信者情報検索装置２から発信者情報検索結果を受信すると（図３ステップＳ７）、その発信者情報検索結果を表示手段１６に送り、表示手段１６は電話番号と発信者情報とを表示する（図３ステップＳ８）。
【００３４】
この時、データ通信手段１５は発信者情報検索装置２からの発信者情報を着信履歴データベース１７にも記録するので、受信者が不在の場合でも、後で発信者情報を確認することができる。
【００３５】
このように、本実施例では、電話帳データベース１４に登録されていない発信者からの着信の場合、インタネット１００に接続された発信者情報検索装置２に発信者情報検索要求を送信し、その結果を受信して表示手段１６に表示することで、発信者情報を得ることができるので、電話機１の電話帳データベース１４に登録されていない発信者からの着信でも、発信者情報を確認することができる。
【００３６】
尚、本実施例では、電話帳データベース１４に登録されていない発信者からの着信通知を受けた場合、インタネット１００に接続された発信者情報検索装置２に発信者情報検索要求を送信してしまうが、一般の電話機、特に携帯電話の場合、インタネット１００への接続が従量制の課金システムであることが多いので、電話機１の電話帳データベース１４に未登録の発信者からの着信通知を受けた場合、毎回インタネット１００に接続を行うことが運用面で問題になる。
【００３７】
これを回避するため、電話機１は電話帳データベース１４に発信者情報が見つからなかった場合、着信履歴データベース１７を検索し、過去の着信履歴からインタネット１００上の発信者情報検索装置２で検索を行った着信通知について、着信履歴データベース１７内の発信者情報を表示することで、インタネット１００への接続を行わないようにする。これによって、本実施例では、インタネット１００への接続を極力少なくすることができる。
【００３８】
図４は本発明の他の実施例による携帯通信端末の構成を示すブロック図である。図４において、携帯通信端末４は音声通話手段４１と、特定情報取得手段４２と、発信者検索手段４３と、データベース４４と、データ通信手段４５と、表示手段４６と、履歴データベース４７と、記録媒体４８とから構成されている。
【００３９】
音声通話手段４１は音声通話の制御を行い、特定情報取得手段４２は着信通知の着信情報から発信者を特定する特定情報（電子メールアドレス、電話番号、会員番号等の識別番号を含む識別情報等）を取得する。データベース４４には特定情報と発信者情報（電話番号、発信者名、発信者住所、電子メールアドレス、会員番号等の識別番号を含む識別情報等）とが蓄積されており、発信者検索手段４３は特定情報からデータベース４４の発信者情報を検索する。
【００４０】
データ通信手段４５は図示せぬインタネットとの通信を行い、表示手段４６は特定情報と、発信者検索手段４３で検索された発信者情報またはデータ通信手段４５がインタネットを介して受信した発信者情報とを表示する。履歴データベース４７は携帯通信端末４における着信履歴や電子メールの履歴等を記録する。
【００４１】
記録媒体４８には携帯通信端末４のコンピュータ（図示せず）で実行可能なプログラムが格納されており、コンピュータが記録媒体４８からプログラムを読出して実行することで、上記の各手段の処理が実現される。
【００４２】
図５は本発明の他の実施例による発信者情報通知システムの構成を示すブロック図である。図４において、本発明の他の実施例による発信者情報通知システムにおいて、携帯通信端末４は無線基地局５及び交換機６を介してインタネット１００との通信が可能であり、インタネット１００には発信者情報検索装置２が接続されており、発信者情報検索装置２には発信者情報データベース３が接続されている。
【００４３】
図６は本発明の他の実施例による携帯通信端末４の着信処理の動作を示すフローチャートである。これら図４〜図６を参照して本発明の他の実施例による携帯通信端末４における音声呼、電子メール等の着信処理の動作について説明する。尚、図６に示す処理は携帯通信端末４のコンピュータが記録媒体４８のプログラムを読出して実行することで実現される。
【００４４】
携帯通信端末４の音声通話手段４１は音声呼、電子メール等の着信通知を受けると（図６ステップＳ１１）、着信通知の着信情報を特定情報取得手段４２に送り、特定情報取得手段４２によって着信情報から発信者の特定情報を取得する（図６ステップＳ１２）。
【００４５】
特定情報取得手段４２で取得された特定情報は発信者検索手段４３に送られ、発信者検索手段４３は特定情報を基にデータベース４４から発信者情報の検索を行う（図６ステップＳ１３）。
【００４６】
ここで、発信者検索手段４３は発信者情報が見つかると（図６ステップＳ１４）、発信者情報を表示手段４６に送り、表示手段４６は特定情報と発信者情報とを表示する（図６ステップＳ１５）。
【００４７】
一方、発信者検索手段４３はデータベース４４の検索で、発信者情報が見つからなかった場合、特定情報をデータ通信手段４５に送り、データ通信手段４５からインタネット１００に接続されている発信者情報検索装置２に対して発信者の電話番号を含む発信者情報検索要求を送信する（図６ステップＳ１６）。
【００４８】
発信者情報検索装置２は携帯通信端末４からの発信者情報検索要求を受取ると、発信者情報検索要求の特定情報を基に発信者情報データベース３の検索を行い、発信者名等の検索結果を含む発信者情報検索結果を携帯通信端末４に返信する。
【００４９】
携帯通信端末４のデータ通信手段４５は発信者情報検索装置２から発信者情報検索結果を受信すると（図６ステップＳ１７）、その発信者情報検索結果を表示手段４６に送り、表示手段４６は特定情報と発信者情報とを表示する（図６ステップＳ１８）。
【００５０】
この時、データ通信手段４５は発信者情報検索装置２からの発信者情報を履歴データベース４７にも記録するので、受信者が不在の場合でも、後で発信者情報を確認することができる。
【００５１】
このように、本実施例では、データベース４４に登録されていない発信者からの着信の場合、インタネット１００に接続された発信者情報検索装置２に発信者情報検索要求を送信し、その結果を受信して表示手段４６に表示することで、発信者情報を得ることができるので、携帯通信端末４のデータベース４４に登録されていない発信者からの着信でも、発信者情報を確認することができる。
【００５２】
尚、本実施例では、データベース４４に登録されていない発信者からの着信通知を受けた場合、インタネット１００に接続された発信者情報検索装置２に発信者情報検索要求を送信してしまうが、一般の電話機、特に携帯電話の場合、インタネット１００への接続が従量制の課金システムであることが多いので、携帯通信端末４のデータベース４４に未登録の発信者からの着信通知を受けた場合、毎回、インタネット１００に接続を行うことが運用面で問題になる。
【００５３】
これを回避するため、携帯通信端末４はデータベース４４に発信者情報が見つからなかった場合、履歴データベース４７を検索し、過去の履歴の中からインタネット１００上の発信者情報検索装置２で検索を行った着信通知について、履歴データベース４７内の発信者情報を表示することで、インタネット１００への接続を行わないようにする。これによって、本実施例では、インタネット１００への接続を極力少なくすることができる。
【００５４】
【発明の効果】
以上説明したように本発明は、上記のような構成及び動作とすることで、電話帳に登録されていない発信者からの着信でも発信者情報を確認することができるという効果が得られる。
【図面の簡単な説明】
【図１】本発明の一実施例による電話機の構成を示すブロック図である。
【図２】本発明の一実施例による発信者情報通知システムの構成を示すブロック図である。
【図３】本発明の一実施例による電話機の着信処理の動作を示すフローチャートである。
【図４】本発明の他の実施例による携帯通信端末の構成を示すブロック図である。
【図５】本発明の他の実施例による発信者情報通知システムの構成を示すブロック図である。
【図６】本発明の他の実施例による携帯通信端末の着信処理の動作を示すフローチャートである。
【図７】従来例による発信者情報通知システムの構成を示すブロック図である。
【符号の説明】
１  電話機
２  発信者情報検索装置
３  発信者情報データベース
４  携帯通信端末
５  無線基地局
６  交換機
１１，４１  音声通話手段
１２  発信者番号取得手段
１３，４３  発信者検索手段
１４  電話帳データベース
１５，４５  データ通信手段
１６，４６  表示手段
１７  着信履歴データベース
１８，４８  記録媒体
４２  特定情報取得手段
４４  データベース
４７  履歴データベース
１００  インタネット
【図１】
2004153779.tif 000003
【図２】
2004153779.tif 000004
【図３】
2004153779.tif 000005
【図４】
2004153779.tif 000006
【図５】
2004153779.tif 000007
【図６】
2004153779.tif 000008
【図７】
2004153779.tif 000009